(57)【要約】      （修正有） 【課題】「静電吸着シート」と言う既存の技術を利用して、新システム的な利用を可能とする新しいタイプの「薬の服用確認表」を提供する。【解決手段】一か月分の薬服用の事実をチェックするための印刷面を表面に施しかつ樹脂フィルム層を含む第１チェックシートＡと、当該第１チェックシートＡと全く同一な形態を具えた第２チェックシートＢとを積層し、両者はその互いの裏面の樹脂フィルム層が静電気により吸着されている薬の服用確認表。【選択図】図１
0003185263.tif 000002
【実用新案登録請求の範囲】
【請求項１】
一か月分の薬服用の事実をチェックするための印刷面を表面に施しかつ樹脂フィルム層を含む第１チェックシートと、当該第１チェックシートと全く同一な形態を具えた第２チェックシートとを積層し、両者はその互いの裏面の樹脂フィルム層が静電気により吸着されていることを特徴とする薬の服用確認表。
【請求項２】
一か月分の薬服用の事実をチェックするための印刷面として、日付記載表示欄に対して「朝」「昼」「夜」のような薬の服用時期に服用したことを書き込むためのチェック用空欄を夫々連設して成る形態の印刷面とするように構成した請求項１に記載の薬の服用確認表。
【考案の詳細な説明】
【技術分野】
【０００１】
本考案は、毎日飲む薬に対する確認的チェックを行うための確認表に関する。
【背景技術】
【０００２】
薬の服用は、多い人では毎日、朝昼晩の３回を必要とする。  従って、これを頭の中で記憶しておくのは困難である。  そのため、カレンダーに印をつける等成して、その確認を行うことが考えられるが、他のメモ的なものと混乱して正確なる服用事実を確認するための手段としては適切とは称し得ない。  従って、服用事実を一覧的に確認可能とする専用の確認表を用意することが好ましい。
【０００３】
一方、既存の技術として、「静電吸着シート」（例えば、特許文献１参照。）というシートが存在する。  当該静電吸着シートとは、片面に記録層を具えた樹脂フィルム層を含むラベル層に帯電処理を施し、次いで支持体層を樹脂フィルム層と接触させて静電吸着させた積層体を含むものであり、また支持体層に帯電処理を施し、次いで型面に記録層を備えた樹脂フィルム層と接触させて静電吸着させた積層体を含むものであり、その両面は静電気が帯びにくいものであるが、支持体層から剥離したラベル層は静電気により被着体に吸着可能とする、と言う特性を具えている。
【０００４】
上記した既存技術たる「静電吸着シート」とは、「静電気の力で両面貼れる」とのキャッチコピーで「ユポ静電吸着（登録商標）」と言う商標を附して実施されている技術である。そして、これは製品化された状態にあっては、片面に印刷等の表示が成されたラベル２枚を、その反表示面を背中合わせに重ねると共に、静電吸着処理を施すものである。  このように処理された２枚の印刷物は、剥離することに依り裏面側に静電気が生じ、平坦な部分に対して吸着されると言う特性を具えている。  すなわち、２枚重ねた状態では静電吸着作用は奏さず、互いに剥離することに依り、その裏面側に静電吸着作用が働くと言う作用を奏するものである。  従って、不使用時には２枚合わせの状態を保ち、使用に際してこれを剥離することに依り、はじめて静電気に基づく貼り付けが可能化され、その利用が図られる、と言うものである。
【０００５】
本考案はこのような既存技術である「静電吸着シート」の特性に着目し、これの有効利用を図ることにより、優れた特性を有しかつ新機軸を具えた「薬の服用確認表」という製品の開発を成したものである。
【先行技術文献】
【特許文献】
【０００６】
特許第４９８８０６２号公報
【考案の概要】
【考案が解決しようとする課題】
【０００７】
ところで、従来、「薬の服用確認表」というと、一枚のシート状のものを用意し、これにチェックを施すことに依り、服用忘れの防止を図るものである。  そして、その表示箇所も、常に見える場所、例えば冷蔵庫の扉面、若しくは一日に一回は必ず見ることがある例えば洗面所の鏡面等が好ましい。
【０００８】
ところで、「薬の服用確認表」は、その表示箇所を一か所ではなく２ヶ所とすることに依るダブルチェック体制をとり、薬の飲み忘れを厳重に防止することが好ましい。  何故ならば、毎日朝昼晩の３回服用していると、錯覚により服用したか否かを誤認することがある。  すなわち、薬を飲んだ都度チェックを行えば良いが、後回しにした場合、錯誤が生じ、服用事実を失念してしまうことが儘生じることがある。
【０００９】
更に、例えば老人の場合、自分でチェックすることが物忘れの防止上、重要であるが、老人自身に全て依存してしまうことは危険性を伴う。  従って、確認表２枚を用意し、１通を本人用、他方を保護者用と言うような２重チェックを行う体制を採ることに依り、服用管理の完璧化が果たされることとなる。
換言すると、「薬の服用確認表」を２箇所に貼ることに依る家屋内での厳重なるチェック体制の確保、または、本人と保護者による２重チェック体制の採用には、確認表を２枚用意することが重要であり、その使用も２枚を確実に使用するようなシステムを採ることが重要である。  本考案はこのような事実に着眼して考案したものである。
【００１０】
更に、上記のような確認表は手軽に掲示できる形態が好ましい。  従って、接着剤または接着テープによる貼付け手段を用いた場合は貼り付けの残存発生、 画鋲、ピン止めに依存した場合に生ずる針後痕の発生等の問題が生じ、不適当である。
【００１１】
本考案は以上述べた様な使用形態の確立と、取付け上の容易性確保が成されるようにした新規の「薬の服用確認表」を、既存の技術として存在する「静電吸着シート」（特許文献１参照。）の有効利用に基づき、その実現化を図ったものである。
【課題を解決するための手段】
【００１２】
本考案は請求項１に記載のように、一か月分の薬服用の事実をチェックするための印刷面を表面に施しかつ樹脂フィルム層を含む第１チェックシートと、当該第１チェックシートと全く同一な形態を具えた第２チェックシートとを積層し、両者はその互いの裏面の樹脂フィルム層が静電気により吸着されていることを特徴とする薬の服用確認表に係る。
【００１３】
本考案は請求項２に記載のように、一か月分の薬服用の事実をチェックするための印刷面として、日付記載表示欄に対して「朝」「昼」「夜」のような薬の服用時期に服用したことを書き込むためのチェック用空欄を夫々連設して成る形態の印刷面とするように構成した請求項１に記載の薬の服用確認表を実施の態様とする。
【考案の効果】
【００１４】
本考案は請求項１に記載のような構成を採用したから、第１チェックシートと第２チェックシートとは分離することに依り、静電気による貼り着可能状態に転化され、これにより、その貼り着を直ちに行わなければならず、そのため、本考案品の２ヶ所貼り着と言う事柄、老人の場合の本人及び保護者による２重チェック体制の履行と言う事柄が、後回しにされることなく直ちに実行することが促される。  従って、本考案に依れば頭記したような服用確認表の２枚使用と言う新しいシステムのチェック体制の実施が確立化される。
【００１５】
更に、第１チェックシートと第２チェックシートとは、両者を引きはがすことに依り、静電気による貼り着作用が奏されるため、接着剤、接着テープ、画鋲等を使用することなく直ちにその貼り着を行うことが可能化される。  従って、貼り着作業の容易性が図られると共に、接着痕が残ることがない。
【００１６】
本考案は請求項２に記載のような構成、すなわち、一か月分の薬服用の事実をチェックするための印刷面として、日付記載表示欄に対して「朝」「昼」「夜」のような薬の服用時期に服用したことを書き込むためのチェック用空欄を夫々連設して成る形態の印刷面とするように構成したから、きめの細かい服用管理目的が達成される。
【図面の簡単な説明】
【００１７】
【図１】本考案の実施例を示す斜視図である。
【図２】第１チェックシート側を表した正面図である。
【図３】第２チェックシート側を表した背面図である。
【図４】本考案の重合状態を表した拡大断面図である。
【考案を実施するための形態】
【００１８】
Ａは樹脂フィルム層を含む第１チェックシートであって、一か月分の日付記載表示欄１に対して「朝」「昼」「夜」のような薬の服用時期に服用したことを書き込むためのチェック用空欄２を夫々連設して成る形態の印刷面ａを、表面に形成したものである。  なお、このような表示は１か月の服用がチェック可能とするものであれば、図示の実施例に示すもの以外であっても良い。
【００１９】
Ｂは樹脂フィルム層を含む第２チェックシートであって、上記した第１チェックシートＡと全く同様な形態を具えた印刷面ｂを表面に形成して成るものである。
【００２０】
上記した第１チェックシートＡと第２チェックシートＢはその互いの樹脂フィルム層の裏面を重合合致化すると共に、その樹脂フィルム層に対する電荷注入に依り、或いは誘電により内部電荷を分離させて帯電させる。  これにより、第１チェックシートＡと第２チェックシートＢは、その互いの裏面側において図１及び図３に示すように吸着されることとなる。
【００２１】
本考案はその使用に際して、第１チェックシートＡと第２チェックシートＢとを分離すると共に、その夫々の背面側に帯電している静電気により、冷蔵庫の扉のような平坦面に対する貼着を行うものである。
【００２２】
ところで、第１チェックシートＡと第２チェックシートＢを重合させた状態での帯電のための手段であるが、これは特許第４９８８０６２号の「静電気吸着シート」の技術を用いるものである。
換言すると、本考案は当該特許に係る「静電気吸着シート」が、２枚合わせのシートから成り、両シートはこれを剥離することに依り発生する静電気に基づき所要面に対する貼り着がなされると言う特性を有することに着眼し（両シートは剥離すると同時に両者の同時的に使用を図る必要がある点に着眼し）、同特性を有効利用することによって、新しいタイプである「薬の服用確認表」と言う製品の提供を図ったことを特徴とするものである。  従って、上記帯電のための手段は公知技術に属するため、その詳細説明は省略する。
【符号の説明】
【００２３】
Ａ  第１チェックシート
ａ  印刷面
１  日付記載表示欄
２  チェック用空欄
Ｂ  第２チェックシート
ｂ  印刷面
【図１】
0003185263.tif 000003
【図２】
0003185263.tif 000004
【図３】
0003185263.tif 000005
【図４】
0003185263.tif 000006